(57)【要約】【課題】ＩＣカードあるいは外部記録媒体等に記録されている画像データ情報をテレビ画面等のディスプレイに表示した場合に、使用者が閲覧希望する対象の画像データを素早く検索表示できる画像表示装置を提供するものである。【解決手段】本体キー４を操作することにより、選択したサムネイル画像２の静止画像データの情報に対して、あらかじめ関連付けされた情報項目に基づいて、周りの他のサムネイル画像の表示位置を移動させたり、あるいは表示する大きさを変える構成とした。【選択図】  図１
2004260412.tif 000002
【特許請求の範囲】
【請求項１】
画像データベースから画像データを表示する画像表示方法において、前記画像データをサムネイル画像で表示する第１の表示手段と、ビットマップＯＳＤで表示する第２の表示手段とを有し、前記第２の表示手段で表示された表示エリアは前記第１の表示手段で表示されたサムネイル画像と対応する位置関係を示すカーソルで構成されるとともに、前記カーソルは表示された前記サムネイル画像を選択する役割を持ち、予め定められた選択ボタンを押すことにより目的のサムネイル画像を前記カーソルで選択することにより前記目的のサムネイル画像に対して、所定の関連情報を有する他のサムネイル画像を所定位置までスライド移動させることを特徴とした画像表示方法。
【請求項２】
表示画面の縦方向に第１の関連情報、横方向に第２の関連情報を関連付け、前記カーソルにおいて選択された前記サムネイル画像と選択されていないサムネイル画像の配置関係を、選択された前記サムネイル画像を中心にそれぞれの関連情報に基づいて配列することを特徴とした請求項１記載の画像表示方法。
【請求項３】
前記第１の関連情報および第２の関連情報のそれぞれの情報項目を変更可能なことを特徴とした請求項２記載の画像表示方法。
【請求項４】
前記サムネイル画像の表示の大きさを変えることを特徴とした請求項１から請求項３記載の画像記録再生方法。
【請求項５】
第３の関連情報の関連付けを可能にしたことを特徴とした請求項４記載の画像表示方法。
【請求項６】
前記第３関連情報の情報項目を変更可能なことを特徴とした請求項５記載の画像表示方法。
【請求項７】
請求項１から請求項６記載の画像表示方法を用いたことを特徴とした画像表示装置。
【請求項８】
請求項１から請求項６記載の画像表示方法を用いて記録した記録媒体。
【発明の詳細な説明】
【０００１】
【発明の属する技術分野】
本発明は、画像データ特に静止画像データを検索し、そのデータを表示し使用者に操作させる表示方法と、この方法を実現するための記録媒体に関するものである。
【０００２】
【従来の技術】
ＤＳＣ等で撮った静止画像データを記録再生する装置において、この記録されている画像をビデオケーブルなど使用して、ＴＶ画面に表示させる場合、サムネイル画像（小さな画像）をＴＶ画面上に縦横に複数枚ならべて表示する等の方法で、画像内容を表示している。この時同じ階層にたくさんの静止画像データが記録されている場合、静止画像データを指すカーソルと呼ばれる枠を本体あるいは添え付けのリモコン等のボタンを操作しながら順次静止画像データを閲覧して行き、そのカーソルがＴＶ画面の端にきた時さらに端の方向へ操作することによって、ＴＶ画面に表示されている静止画像データを切り換えなる。この方法を繰返すことによってＴＶ画面に表示されている静止画像データの表示を順次切り換えながら全てのデータが表示される。この時ＴＶ画面に表示されるサムネイル画像は２〜９枚のものが多くあり、同じ階層に多くの静止画像データが保存されていた場合、カーソルをいちいちボタンを操作しながら移動させて行くことは時間がかかる傾向にある。一方従来のシステムではボタンが押されつづけることによりカーソルを加速させながら移動し、目的のサムネイル画像まで移動するような方法も行われている（例えば、特許文献１参照）。
【０００３】
【特許文献１】
特許第２９７５９８１号公報（第３図）
【０００４】
【発明が解決しようとする課題】
ところが、記録されていたデータ数が多く画像の切り換えが多くしなければならなくなった場合、ボタンの回数を押し続けることは非常に困難なことであり、使用者に対しても多くの負担をかけることに成り、同じに使用者が希望する静止画像データまで到達することに非常に時間もかかり不便である。
【０００５】
本発明は上記のような問題点に対し、使用者が操作しやすく、負担を軽減できる画像データ表示方法及びそれを用いた装置と、これらを実現するための記録媒体とを提供することを目的とするものである。
【０００６】
【課題を解決するための手段】
前記課題を解決するために、本発明の画像表示方法は、画像データにあらかじめ記録されている情報を読み取って置き、カーソルで選ばれた静止画像データと他の静止画像データとの位置関係や表示の大きさを変えることを特徴としたものである。
【０００７】
本発明によれば、ひとつの静止画像データから使用者が記憶をたどるようにして目的の画像まで素早くたどり着くことが可能である。
【０００８】
【発明の実施の形態】
本発明の請求項１に記載する画像表示方法は、画像データベースから画像データを表示する画像表示方法において、前記画像データをサムネイル画像で表示する第１の表示手段と、ビットマップＯＳＤで表示する第２の表示手段とを有し、前記第２の表示手段で表示された表示エリアは前記第１の表示手段で表示されたサムネイル画像と対応する位置関係を示すカーソルで構成されるとともに、前記カーソルは表示された前記サムネイル画像を選択する役割を持ち、予め定められた選択ボタンを押すことにより目的のサムネイル画像を前記カーソルで選択することにより前記目的のサムネイル画像に対して、所定の関連情報を有する他のサムネイル画像を所定位置までスライド移動させることを特徴としたものであり、使用者に対して情報を分かりやすく表示することを実現しうるものである。
【０００９】
次に、本発明の請求項２に記載する画像表示方法は、請求項１において、表示画面の縦方向に第１の関連情報、横方向に第２の関連情報を関連付け、前記カーソルにおいて選択された前記サムネイル画像と選択されていないサムネイル画像の配置関係は、選択された前記サムネイル画像を中心にそれぞれの関連情報に基づいて配列することを特徴としたものであり、使用者に対して情報を分かりやすく表示することを実現しうるものである。
【００１０】
次に、本発明の請求項３に記載する画像表示方法は、請求項２において、前記第１の関連情報および第２の関連情報のそれぞれの情報項目を変更可能なことを特徴としたものであり、使用者が分かりやすく表示を変えれることを実現しうるものである。
【００１１】
次に、本発明の請求項４に記載する画像表示方法は、請求項１から請求項３において、前記サムネイル画像の表示の大きさを変えることを特徴であり、使用者が目的とする静止画像データを素早く見つけることが出来るのを実現しうるものである。
【００１２】
次に、本発明の請求項５に記載する画像表示方法は、請求項４において、第３の関連情報の関連付けを可能にしたことを特徴であり、使用者が目的とする静止画像データを素早く見つけることが出来るのを実現しうるものである。
【００１３】
次に、本発明の請求項６に記載する画像表示方法は、請求項５において、前記第３関連情報の情報項目を変更可能なことが特徴であり、使用者が目的とする静止画像データを素早く見つけることが出来るのを実現しうるものである。
【００１４】
次に、本発明の請求項７に記載する装置は、請求項１から請求項６記載の画像表示方法を用いたことを特徴であり、使用者が目的とする静止画像データを素早く見つけることが出来るのを実現しうる装置を提供できる。
【００１５】
次に、本発明の請求項８に記載する媒体は、請求項１から請求項６記載の画像表示方法を用いて記録したことが特徴であり、使用者が目的とする静止画像データを素早く見つけることが出来るのを実現しうる媒体を提供できる。
【００１６】
（実施の形態）
図１は、本発明の実施の形態例である画像表示装置の画面状態遷移を示す遷移図である。
【００１７】
この画像表示装置は、デジタルスチールカメラ（以後、ＤＳＣと略す）等で作成された画像データを、別の記録媒体に保存でき一般家庭用テレビに表示しながら編集できる機能を備えた装置である。ＤＳＣでＩＣカードに記録された画像データを、  画像表示装置を使用して、一般家庭用テレビに画像を表示する例を上げ説明する。
【００１８】
以下に、本発明の請求項１、請求項２及び請求項３に記載された発明の実施の形態について、図１を用いて説明する。
【００１９】
ＴＶ画面（１）１にＤＳＣで記録された静止画像データをサムネイル画像２として表示しておりカーソル３はＴＶ画面（１）１の画面内を本体キー４によって上下左右自由に移動することができる。ＴＶ画面（１）１の画面の縦軸方向を位置情報５、横軸方向を日付情報６と関連付ける。ここで、本体キー４を使いＴＶ画面（１）１の画面内のサムネイル画像２を１つ選んだ場合、その静止画像データの情報に対して周りの静止画像データの日付情報が古い場合は選択した画像の左側へ、新しい場合は右側へ配置し、また選択した静止画像データよりも撮影位置が北にある場合は画面の上側へ南にあった場合は画面の下側へ配置するようにサムネイルのスライド移動をさせて並べ替えを行う。（ＴＶ画面（２）７）
さらに他のサムネイルを選んだ時には、その選んだ静止画像データの情報に関してスライド移動により並べ替えを行う。（ＴＶ画面（３）８）
以下に、本発明の請求項４、請求項５、請求項６に記載された発明の実施の形態について、図２を用いて説明する。
【００２０】
図２は、選択した静止画像データに関連の有る静止画像データの大きさを変えて表示した図を示している。
【００２１】
ＴＶ画面（４）９に表示されている静止画像データを１つ選択した場合、選択した画像データの名前のコードが似ているサムネイル（大）１０を大きく表示しコードが似ていないサムネイル（小）１１を小さく表示する。名前のコードが似ているものから似ていないサムネイルを順番に大きさに変化を付けながら表示する。
【００２２】
以下に、本発明の請求項９に記載された発明の実施の形態について、図３を用いて説明する。
【００２３】
図１で説明した方法を使って、サムネイルを並び替えた後にＴＶ画面（５）１２において関連情報の１つである日付情報１３を選択することによって従来の一次方向だけでの情報で並び替えて表示する。
【００２４】
【発明の効果】
以上のように、本発明の画像表示方法および装置によれば、一般家庭用テレビ等の画面のカーソルを操作する場合、少ないキー操作で使用者が目的とする画像まで素早く移動して分かりやすく表示することができる画像表示方法および装置を提供することが可能である。
【図面の簡単な説明】
【図１】本発明の画像表示装置の静止画像データのサムネイル表示画面１を示す図
【図２】本発明の画像表示装置の静止画像データのサムネイル表示画面２を示す図
【図３】本発明の画像表示装置の静止画像データのサムネイル表示画面３を示す図
【符号の説明】
１  ＴＶ画面（１）
２  サムネイル画像
３  カーソル
４  本体キー
５  位置情報
６  日付情報
７  ＴＶ画面（２）
８  ＴＶ画面（３）
９  ＴＶ画面（４）
１０  サムネイル（大）
１１  サムネイル（小）
１２  ＴＶ画面（５）
１３  日付情報
【図１】
2004260412.tif 000003
【図２】
2004260412.tif 000004
【図３】
2004260412.tif 000005